(57)【要約】【課題】吊具搬入→使用済み樋の電気炉炉体からの取外し→使用済み樋の搬出→新たな樋の搬入→新たな樋の電気炉炉体の取付け→吊具搬出、等の作業が必要であった従来法に対し、吊具搬入と新たな樋の搬入及び吊具搬出と使用済み樋の搬出を同時に行い、作業時間を短縮させる。【解決手段】両側に樋を取外し可能に支持する吊部２を備えた吊具１を用い、該吊具一側の吊部２に新たな樋５を支持させたのち、クレーンにより電気炉７上に搬入する作業と、クレーンにより吊下げられた吊具１の他側の吊部２に電気炉炉体に取付けられる樋１２を電気炉炉体より取外しても吊上げ可能な状態に支持したのち樋１２を炉体より取外す作業と、クレーンにより吊具１を水平方向に半回転旋回させたのち、吊具一側の吊部２に支持される新たな樋５を電気炉炉体に取付ける作業と、樋取付後、クレーンにより吊具他側の吊部に使用済みの樋を吊下げた状態で搬出する作業とからなる。【選択図】図５
2008267701.tif 000002
【特許請求の範囲】
【請求項１】
両側に樋を取外し可能に支持する吊部を備えた吊具を用いて、電気炉炉体に取付けられる出銑用の樋を取換える方法であって、上記吊具の一側の吊部に取換用の新たな樋を支持させ、他側の吊部にバランス用のウエイトを取付けてバランスさせた状態でクレーン操作により吊具を電気炉上に搬入する作業と、クレーンにより吊下げられた吊具の他側の吊部から上記ウエイトを取外したのち、該吊部に電気炉炉体に取付けられる樋を電気炉炉体より取外しても吊上げ可能な状態に取付け、その後、樋を炉体より取外す作業と、炉体より樋を取外した後、クレーン操作により吊具を水平方向に半回転旋回させ、ついで吊具一側の吊部に支持される新たな樋を電気炉炉体に取付ける作業と、樋取付後、クレーンにより吊上げられる吊具の一側の吊部にウエイトを取付け、他側の吊部に吊下げられる使用済みの樋とバランスさせた状態で搬出する作業とからなることを特徴とする電気炉の出銑樋取換方法。
【請求項２】
両側に樋を取外し可能に支持する吊部を備えた吊具を用いて電気炉炉体に取付けられる出銑用の樋を取換える方法であって、主巻きと補巻きを有するクレーンの主巻きで上記吊具を支持すると共に、補巻きで取換え用の新たな樋を支持した状態で、クレーン操作により吊具を電気炉上に搬入する作業と、主巻きで支持した吊具の一側の吊部に補巻きにより支持される新たな樋を移し換えると共に、他側の吊部に電気炉炉体に取付けられる樋を電気炉炉体より取外しても吊上げ可能な状態に取付け、その後、樋を炉体より取外す作業と、炉体より樋取外し後、クレーン操作により吊具を水平方向に半回転させ、ついで吊具一側の吊部に支持される新たな樋を電気炉炉体に取付ける作業と、吊具他側の吊部に支持される使用済みの樋を補巻きに支持させたのち搬出する作業とからなることを特徴とする電気炉の出銑樋取換方法。
【発明の詳細な説明】
【技術分野】
【０００１】
本発明は、電気炉で溶解された溶銑を炉外に排出する際に用いる出銑用の樋を取換える方法に関する。
【背景技術】
【０００２】
出銑用の樋を損耗により取換えるときには従来、次のような作業を行っていた。先ず樋を吊上げる吊具をクレーンにより吊上げて電気炉上に搬入し、電気炉炉体に取付けられている樋を吊具にワイヤーやチェーン等（以下、単に「ワイヤー等」という）で直接或いはワイヤー等端に取付けたフックで連結して樋を電気炉炉体より取外しても吊上げ可能な状態にしてから樋を炉体より取外す。そして取外した使用済み樋を吊具で吊上げた状態でクレーンにより樋置場に搬出し、吊具より取外したのち新たな樋を吊具に連結してクレーンにより吊上げ、電気炉上に搬入して電気炉炉体に取付ける。取付後、ワイヤー等或いはフックを取り換えた樋より外し、吊具を搬出する。
【０００３】
以上のように従来の樋取換では、吊具搬入→使用済み樋の電気炉炉体からの取外し→使用済み樋の搬出→樋の交換→新たな樋の搬入→新たな樋の電気炉炉体の取付け→吊具搬出、等の作業が必要であった。
【発明の開示】
【発明が解決しようとする課題】
【０００４】
本発明は、上述する樋取換の作業時間を短縮することができる方法を提供することを目的とする。
【課題を解決するための手段】
【０００５】
請求項１に係る発明は、両側に樋を取外し可能に支持する吊部を備えた吊具を用いて電気炉炉体に取付けられる出銑用の樋を取換える方法であって、上記吊具の一側の吊部に取換用の新たな樋を支持させ、他側の吊部にバランス用のウエイトを取付けてバランスさせた状態でクレーン操作により吊具を電気炉上に搬入する作業と、クレーンにより吊下げられた吊具の他側の吊部から上記ウエイトを取外したのち、該吊部に電気炉炉体に取付けられる樋を電気炉炉体より取外しても吊上げ可能な状態に取付け、その後、樋を炉体より取外す作業と、炉体より樋を取外した後、クレーン操作により吊具を水平方向に半回転旋回させ、ついで吊具一側の吊部に支持される新たな樋を電気炉炉体に取付ける作業と、樋取付後、クレーンにより吊上げられる吊具の一側の吊部にウエイトを取付け、他側の吊部に吊下げられる使用済みの樋とバランスさせた状態で搬出する作業とからなることを特徴とし、
請求項２に係る発明は、両側に樋を取外し可能に支持する吊部を備えた吊具を用いて電気炉炉体に取付けられる出銑用の樋を取換える別の方法であって、主巻きと補巻きを有するクレーンの主巻きで上記吊具を支持すると共に、補巻きで取換え用の新たな樋を支持した状態で、クレーン操作により吊具を電気炉上に搬入する作業と、主巻きで支持した吊具の一側の吊部に補巻きにより支持される新たな樋を移し換えると共に、他側の吊部に電気炉炉体に取付けられる樋を電気炉炉体より取外しても吊上げ可能な状態に取付け、その後、樋を炉体より取外す作業と、炉体より樋取外し後、クレーン操作により吊具を水平方向に半回転させ、ついで吊具一側の吊部に支持される新たな樋を電気炉炉体に取付ける作業と、吊具他側の吊部に支持される使用済みの樋を補巻きに支持させたのち搬出する作業とからなることを特徴とする。
【発明の効果】
【０００６】
前述の従来法では、吊具搬入と、新たな樋の搬入及び吊具搬出と使用済み樋の搬出が別々に行われていたのに対し、請求項１に係る発明では、吊具搬入と新たな樋の搬入及び吊具搬出と使用済み樋の搬出が同時に行われるため、樋取換の作業時間が短縮され、
請求項２に係る発明においては、樋の搬出入に際し、請求項１に係る発明のように、ウエイトでバランスさせる必要がないため、ウエイト脱着に要する作業が不要となり、樋取換えの作業時間をより一層短縮することができる。
【発明を実施するための最良の形態】
【０００７】
図１は、本発明方法で用いる吊具について示すもので、該吊具１は、両側に鉤状の吊部２を内向きにして左右対称形に取付けた形態をなし、クレーンのフック３に逆Ｖ形状に掛けたワイヤー等４により連結されて支持されるようになっている。
【０００８】
図２〜図６は、図１に示す吊具１を用いて行う樋取換時の作業手順を示すもので、クレーンにより吊下げられた吊具一側の吊部２に取換用の新たな樋５をワイヤー等で直接或いはワイヤー等端のフックで連結して支持させると共に、吊具他側の吊部２にバランス用のウエイト６を取付けたのち（図２）、電気炉７を囲うハウス８の開閉蓋（図示しない）上に搬入する。そして開閉蓋を開いたのちの開口部９を通して下ろし、ウエイト６と新たな樋５を電気炉内に設置した置き台１１上に置いてウエイト６を取外す（図３）。ついでクレーン操作で吊具１を若干持上げて樋５を電気炉上で図の左方向に移動させて吊具他側の吊部２を電気炉炉体に取付けられる樋１２上に位置させ、かつ吊具一側の吊部２に支持される取換用の新たな樋５を上記置き台１１上に下ろす（図４）。そして樋１２を吊具他側の吊部２にワイヤー等で直接或いはワイヤー等端のフックで連結して支持可能な状態にしたのち、樋１２を電気炉炉体より取外す。取外された樋１２は、吊具他側の吊部２に吊下げられ支持される。
【０００９】
次にクレーン操作で吊具１を電気炉上に持上げて樋５を電気炉炉体上で水平に半回転旋回させ（図５）、ついで降下させて吊具一側の新たな樋５を電気炉炉体の取付位置に位置させる（図６）。この状態で、樋５を電気炉炉体に取付けたのち、ワイヤー等を樋５より外すか、ワイヤー等端のフックを樋５より外す。その後、使用済みの樋１２を置き台１１上に置いた状態で吊具１の一方の吊部２に前述の取外したウエイト６を取付けたのち、クレーンにより使用済みの樋１２をウエイト６でバランスさせた状態で搬出する。
【００１０】
図７は、樋取換に要する従来法と本発明の実施形態による方法での作業時間を示すもので、図示されるように、従来法では使用済み樋を搬出する作業時間と、新たな樋を搬入する作業時間を別に要して樋取換に１００分程度要していたのに対し、本発明の実施形態では、吊具搬入時に新たな樋の搬入が行われ、かつ吊具搬出時に使用済み樋の搬出が行われて、樋取換が６０分程度で行われるようになり、作業時間が大幅に短縮された。
【００１１】
上記実施形態で用いられるウエイト６は単体で、吊部２に支持される樋５とバランスするだけの重量を有し、人力で持ち運びすることはできないが、別の実施形態では、人力で持ち運びすることができる程度の重さの小型ウエイトが必要数用いられる。
【００１２】
図８は、この小型バランス１６の一例を示すもので、図中、１７は取手であり、該取手１７を把持して吊部２に載せ、或いは吊部２に取付けた多数の図示しないフックの一つに取手１７を引掛けることにより取付けられ、取付個数を変えることにより樋５とのバランス調整を行うことが可能である。
【００１３】
図９〜図１３は、樋取換えの別の方法による作業手順を示すもので、クレーンの主巻きのフック１４に図１に示す吊具１をワイヤー等４で連結して吊下げると共に、補巻きのフック１５に取換え用の新たな樋５をワイヤー等４で連結して吊下げ、電気炉７を囲う図示省略したハウスの開口部を通して降ろす（図９）。そして補巻きで吊下げた取換え用の新たな樋５を置き台１１上に置いて補巻きのフック１５より取外し、補巻きを引上げたのち、クレーン操作により吊具１を位置設定して各吊部２にそれぞれ電気炉炉体に取付けられる樋１２と置き台１１上の新たな樋５を上記と同様の方法により連結して支持可能な状態にし（図１０）、ついで樋１２を電気炉炉体より取外す。
【００１４】
次にクレーン操作により各吊部２にそれぞれ電気炉炉体より取外した樋１２と新たな樋５を吊下げた吊具１を電気炉上に若干持上げて水平に半回転させる（図１１）。そしてそのまま若干降下させて新たな樋５を電気炉炉体の取付位置に位置させると共に、使用済みの樋１２を置き台１１上に降ろす。ついで樋５を電気炉炉体に取付けると共に、樋１２を吊具１の吊部２より外し、置き台１１上に置く。その後、補巻きを降ろし、フック１５に使用済みの樋１２を連結したのち、吊具１と共に引上げる（図１２）。
本方法においては、ウエイトが不要となり、ウエイトの取付け及び取り外しに要していた作業が不要となって、その分作業時間を更に短縮することができる。
【産業上の利用可能性】
【００１５】
本発明は、電気炉炉体に取付けられる出銑樋の取換を行うのに用いられる。
【図面の簡単な説明】
【００１６】
【図１】クレーンのフックに吊下げられた吊具の正面図。
【図２】吊具に取換用の新たな樋を取付けて支持した状態を示す図。
【図３】ウエイトを置き台に置いた状態を示す図。
【図４】新たな樋を置き台に置いた状態を示す図。
【図５】両樋を吊下げた状態で半回転旋回させたときを示す図。
【図６】使用済み樋を置き台に置いた状態を示す図。
【図７】樋取換に要する従来法と本発明による作業時間を示すグラフ。
【図８】小型ウエイトの斜視図。
【図９】主巻きに吊具、補巻きに新たな樋を取付けて支持した状態を示す図。
【図１０】吊具に電気炉炉体に取付けられる樋と新たな樋を連結した状態を示す図。
【図１１】両樋を取付けた吊具を半回転させた状態を示す図。
【図１２】使用済みの樋を補巻きで吊上げた状態を示す図。
【符号の説明】
【００１７】
１・・吊具
２・・吊部
３、１４、１５・・フック
４・・ワイヤー等
５・・取換用の新たな樋
６・・ウエイト
７・・電気炉
８・・ハウス
９・・開口部
１１・・置き台
１２・・使用済み樋
【図１】
2008267701.tif 000003
【図２】
2008267701.tif 000004
【図３】
2008267701.tif 000005
【図４】
2008267701.tif 000006
【図５】
2008267701.tif 000007
【図６】
2008267701.tif 000008
【図７】
2008267701.tif 000009
【図８】
2008267701.tif 000010
【図９】
2008267701.tif 000011
【図１０】
2008267701.tif 000012
【図１１】
2008267701.tif 000013
【図１２】
2008267701.tif 000014